(57)【要約】【課題】吸口体を床面から持ち上げたときの騒音を低減することができる吸口体を備えた電気掃除機を提供する。【解決手段】本発明の吸口体２００は、吸口体本体３００と、延長管に接続される連結管５００とを有している。連結管５００の管路長内のいずれかの箇所および／または吸口体本体３００と連結管５００との接続部が上下方向に回動可能な回動連結部とされている。回動連結部に隣接して、外部空間と連通し、吸音材７６０が配設された区画が設けられている。区画と管路内とを連通する開口７８０は、延長管を持ち上げることによる回動連結部の回動に伴って開放される。【選択図】図７
2008043490.tif 000002
【特許請求の範囲】
【請求項１】
床面の塵埃を吸い込む吸口体と、前記吸口体に接続される延長管および延長ホースと、前記延長ホースに接続される電気掃除機本体とを備え、
前記吸口体は、吸口体本体と、前記延長管に接続される連結管とを有し、
前記連結管の管路長内のいずれかの箇所および／または前記吸口体本体と連結管との接続部が上下方向に回動可能な回動連結部とされており、
前記回動連結部に隣接して、外部空間と連通し吸音材が配設された区画が設けられ、
前記区画と管路との間は、前記延長管を持ち上げることによる前記回動連結部の回動に伴って開放される開口により連通される、電気掃除機。
【請求項２】
少なくとも前記連結管の管路長内のいずれかの箇所に回動連結部が設けられており、
前記延長管を持ち上げて回動連結部を回動させると、前記回動連結部の前後の管路が直線をなす状態で回動が停止するように前記回動連結部が構成されている、請求項１に記載の電気掃除機。
【請求項３】
前記区画と外部空間とを連通させる通気孔が、床面に対向しない位置に設けられている、請求項１または２に記載の電気掃除機。
【請求項４】
前記区画内に、前記区画をさらに区分する仕切壁が設けられ、前記仕切壁の回動連結部側端面は円弧状に構成されて前記回動連結部における回動のガイドをなす、請求項１から３のいずれかに記載の電気掃除機。
【発明の詳細な説明】
【技術分野】
【０００１】
この発明は、床面の塵埃を吸い込む吸口体と、吸口体に接続される延長管および延長ホースと、延長ホースに接続される電気掃除機本体とを備えた電気掃除機に関する。
【背景技術】
【０００２】
電動掃除機において、使用時の騒音を低減することが大きな課題となっている。騒音を低減するための吸口体として、特許文献１（特開２００１−８７１７８号公報）に開示されたものがある。このものにおいては、吸口体本体に接続された連結管の管路内に消音材を配置している。特許文献１に開示された発明においては、消音材を管路内に配置して、管路内で発生する風切り音を低減することを意図している。
【特許文献１】特開２００１−８７１７８号公報
【発明の開示】
【発明が解決しようとする課題】
【０００３】
発明者の検討によると、騒音が特に問題となるのは、通常の清掃作業中よりもむしろ、吸口体が床面から持ち上げられて、管路内の風量が急激に増加したときであることが分かった。
【０００４】
この発明は、上記課題を解決するためになされたものであり、吸口体を床面から持ち上げたときの騒音を低減することができる吸口体を備えた電気掃除機を提供することを目的とする。
【課題を解決するための手段】
【０００５】
この発明に基づいた電気掃除機に従えば、床面の塵埃を吸い込む吸口体と、上記吸口体に接続される延長管および延長ホースと、上記延長ホースに接続される電気掃除機本体とを備えている。上記吸口体は、吸口体本体と、上記延長管に接続される連結管とを有している。上記連結管の管路長内のいずれかの箇所および／または上記吸口体本体と連結管との接続部が上下方向に回動可能な回動連結部とされている。上記回動連結部に隣接して、外部空間と連通し、吸音材が配設された区画が設けられている。上記区画と管路との間は、上記延長管を持ち上げることによる上記回動連結部の回動に伴って開放される開口により連通される。
【０００６】
上記電気掃除機において、少なくとも上記連結管の管路長内のいずれかの箇所に回動連結部が設けられており、上記延長管を持ち上げて回動連結部を回動させると、上記回動連結部の前後の管路が直線をなす状態で回動が停止するように上記回動連結部が構成されていてもよい。
【０００７】
上記電気掃除機において、上記区画と外部空間とを連通させる通気孔が、床面に対向しない位置に設けられていてもよい。
【０００８】
上記電気掃除機において、上記区画内に、上記区画をさらに区分する仕切壁が設けられ、上記仕切壁の回動連結部側端面は円弧状に構成されて上記回動連結部における回動のガイドをなすようにしてもよい。
【発明の効果】
【０００９】
本発明に係る電気掃除機によると、吸口体を床面から持ち上げたときの騒音を低減することができる。
【発明を実施するための最良の形態】
【００１０】
以下、この発明に基づいた各実施の形態における電気掃除機の構造について、図を参照しながら説明する。
【００１１】
図１は、本実施の形態の電気掃除機の構造を示す斜視図である。本実施の形態の電気掃除機は、床面の塵埃を吸い込む吸口体２００と、吸口体２００に接続される延長管１３０および延長ホース１２０と、延長ホース１２０に接続される電気掃除機本体１１０とを備えている。
【００１２】
電気掃除機本体１１０は、負圧を発生させる、図示しないモータやファンなどからなる負圧発生源を備えている。この電気掃除機本体１１０に接続された延長ホース１２０および延長管１３０は、この負圧発生源に連通している。負圧発生源により発生した負圧により、延長管１３０に接続された吸口体２００から床面の塵埃を吸引することができる。
【００１３】
図２は本実施の形態の吸口体の分解斜視図である。図２に示すように、本実施の形態の吸口体は、吸口体本体３００と、基部４００と、連結管５００とで構成されている。
【００１４】
吸口体本体３００は、前後方向より幅方向が長い平面視矩形に構成されている。吸口体本体３００は、下カバー３１０と上カバー３９０とを有している。下カバー３１０の下面側には回転ブラシ３５０がキャップ３６０により回動自在に取り付けられている。
【００１５】
また、下カバー３１０の内部には、回転ブラシ３５０を駆動するモータ３２０が取り付けられている。回転ブラシ３５０とモータ３２０とは図示しない駆動ベルトで連結されている。下カバー３１０の前面側には、衝突の衝撃を軽減するバンパ部材３６５が取り付けられている。
【００１６】
下カバー３１０の中央部には、円形リブ３３０に囲まれた開口部が設けられている。この開口部は、下カバー３１０の下面に開口した塵埃吸引口に連通している。下カバー３１０の上面を閉塞するように上カバー３９０が取り付けられる。上カバー３９０には、上向きに突出した突起状の係合部３９１が一対設けられている。
【００１７】
円形リブ３３０に適合するように下カバー３１０には、上部材４０１と下部材４１０からなる基部４００が水平方向に回動自在に取り付けられる。基部４００は、その外周側に係合する円形フレーム状の押え具３８０により下カバー３１０に取り付けられている。
【００１８】
基部４００の一部は矩形に窪んでおり、その窪み部分には、気密を確保しながら連結管５００の先端部が挿入される。連結管５００の先端には両側面に突出する軸６２０が設けられている。軸６２０は、上部材４０１および下部材４１０に挟み込まれて回動自在に保持される。これにより、連結管５００は、基部４００に上下方向に回動自在に保持される。
【００１９】
連結管５００の先端部の上面にはリブ６１０が設けられており、これが基部４００の上部材４０１の内面に接触することで、連結管５００と基部４００との気密が保持されている。連結管５００の先端部の側面は、基部４００の窪みの内側面に隙間無く接触している。
【００２０】
図３は、本実施の形態の連結管の構造を示す分解斜視図である。連結管５００は、その先端側を構成する、第一連結管と、後端側を構成する第二連結管８００とに分割されている。さらに、第一連結管は、先端側第一連結管６００と後端側第一連結管７００とに分割されている。
【００２１】
先端側第一連結管６００は、その本体と、その上面にねじ止めされる上面構成部材６５０とで構成されている。先端側第一連結管６００の本体の先端側は断面矩形の筒状に構成されている。先端側第一連結管６００の本体の先端部両側面に軸６２０が設けられており、また、その先端部上面にリブ６１０が設けられている。
【００２２】
また、先端側第一連結管６００の本体の後部には、円筒状に構成された円筒状連結部６３０が形成されている。円筒状連結部６３０を介して後端側第一連結管７００が接続される。さらに、先端側第一連結管６００の本体の下面側には軸受部６４０が設けられている。軸受部６４０には、床面上を転動する補助輪６６０が回動自在に取り付けられている。
【００２３】
後端側第一連結管７００は、本体７２０と蓋部材７４０とで構成されている。本体７２０の先端側には、円環状のリング部材７１０が設けられている。リング部材７１０の内側に、先端側第一連結管６００の円筒状連結部６３０の先端部が挿入される。これにより、リング部材７１０の内周面に沿って円筒状連結部６３０が回動可能に接続される。
【００２４】
後端側第一連結管７００の後端部には、第二連結管８００が上下方向に回動自在に連結されている。具体的には、本体７２０と蓋部材７４０とにより、第二連結管８００の先端の軸８１０が回動自在に挟み込まれる。本体７２０と蓋部材７４０とは、ねじ孔７３０を貫通するビスにより固定される。
【００２５】
蓋部材７４０の上面には複数の通気孔７５０が設けられている。蓋部材７４０の下面側には、複数の区画が形成されており、その内部には吸音材が配置されている。これらの構造については後述する。
【００２６】
第二連結管８００は、第二連結管本体８２０と第二連結管蓋部材８５０とで構成されている。第二連結管本体８２０の先端部両側面には、軸８１０が設けられている。軸８１０は前述のように、後端側第一連結管７００に回動自在に保持される。
【００２７】
第二連結管蓋部材８５０は、ビスにより第二連結管本体８２０に固定される。第二連結管蓋部材８５０と第二連結管本体８２０との間には、延長管１３０に接続される電極が保持される。第二連結管８００の後端部には、延長管１３０が連結される。
【００２８】
図４は、本実施の形態の吸口体の構造を示す斜視図である。本実施の形態の吸口体２００は、図４に示すように連結管５００の、後端側第一連結管７００と第二連結管８００とを連結する回動連結部に隣接して、複数の通気孔７５０が設けられている。
【００２９】
図５は、本実施の形態の吸口体の構造を示す平面図であり、図６および図７は、同縦断面図である。図５に示すように、後端側第一連結管７００には通気孔７５０が連通する区画が設けられている。この区画は、さらに、ここでは一対の仕切壁７７０により３つに分割されている。区画の内部には、図５および図６に示すような吸音材７６０が充填されている。
【００３０】
吸音材７６０として、ここでは発泡ウレタンを用いている。吸音材は発泡ウレタンに限定されず、連続発泡の発泡樹脂や、繊維などの騒音を吸収する材料を用いることができる。区画は、図７に示すように、後端側で高さが大きくなるように構成されており、その形状に適合するように、吸音材７６０が装着されている。
【００３１】
仕切壁７７０は、吸音材７６０が設けられた部分だけでなく、その下流側にもさらに延びるように設けられている。図６に示すように、仕切壁７７０の後端側（回動連結部側）端面は、円弧状に構成されている。第二連結管８００の先端部は、この仕切壁７７０の円弧状の端面に接触しながら回動する。すなわち、仕切壁７７０の円弧状の端面は、第二連結管８００が回動するときのガイドとして機能する。
【００３２】
また仕切壁７７０により分割することで、吸音材７６０との接触面積を増加させることができるので、吸音材７６０をより確実に区画内に固定することができる。
【００３３】
吸音材７６０が設けられた区画と、連結管５００の内部との間には開口７８０が設けられている。ただし、図６に示す通常の使用状態においては、第二連結管８００の先端部８６０により、開口７８０は閉鎖されている。
【００３４】
図７に示すように、図示しない延長管を介して吸口体２００を持ち上げると、第二連結管８００に対して、第一連結管および吸口体本体３００が回動する。これにより、第二連結管８００の先端部８６０が後ろ方向に回動し、開口７８０が開放される。
【００３５】
開口７８０が開放されると、電気掃除機本体が発生する負圧により、通気孔７５０からも空気が吸引される。この空気は吸音材７６０を通過し、開口７８０を介して管路内に吸い込まれる。
【００３６】
このように構成することにより、吸口体２００を持ち上げたときにのみ、通気孔７５０から空気が吸引される。これにより、吸口体本体から吸引される空気の風量を低下させることができ、その結果、吸口体本体３００や、先端側第一連結管６００などで発生する風切り音を大幅に低下させることができる。
【００３７】
また、この構成によると、吸口体２００を持ち上げたとき（図７）のみ、通気孔７５０に連通する開口７８０が開放され、通常の使用状態（図６）においては、開口７８０は閉鎖されるので通気孔７５０からは空気は殆ど吸引されない。これにより、通常の使用状態においては、吸口体本体３００からの風量を低下させることがなく、通常の使用状態における吸引力への悪影響を排除することができる。
【００３８】
また、通気孔７５０から吸引された空気は、吸音材７６０を経由して管路内に吸引されるので、通気孔７５０やその周辺で発生する騒音を吸収することができる。また、開口７８０が開放された状態では、吸音材７６０の端面が管路内に向かって露出しているので、管路内の騒音を吸音材７６０で吸収することができる。
【００３９】
これらの作用により、吸口体２００を床面から持ち上げたときに発生する、風量が急激に増加することに起因する騒音を効果的に低減することができる。
【００４０】
併せて本実施の形態の吸口体においては、吸口体２００を持ち上げたときには、第一連結管と第二連結管８００の管路が直線状になる状態で、これらの回動が停止するように構成されている。具体的には、第二連結管８００の先端部８６０に設けられた外向きのリブと、蓋部材７４０の後端に設けられた内向きのリブとが当接することで、両者の回動が停止する。
【００４１】
吸口体２００を持ち上げたときに、第一連結管と第二連結管８００の管路を直線状とすることで、管路内の空気の流れが直線状となる。これにより、管路内で発生する空気の流れによる騒音を最小限にすることができる。
【００４２】
また本実施の形態の通気孔７５０は、後端側第一連結管７００の蓋部材７４０に設けられている。すなわち、通気孔７５０は上向きに設けられ、床面には対向していない。これにより通気孔７５０から空気を吸引したときに、床面の塵埃を通気孔７５０に吸引することを防止することができる。
【００４３】
なお、複数個設けられた通気孔７５０の合計面積と開口７８０の面積は略同一にすることが好ましい。この場合に最も効果的に通気孔７５０から空気を吸引することができる。本実施の形態においては、通気孔７５０の直径を２．５〜３．０ｍｍ程度に設定している。
【００４４】
本実施の形態においては、第一連結管と第二連結管８００との接合部近傍に通気孔７５０および吸音材７６０を配置した。そして、第一連結管と第二連結管８００との回動により、開口７８０を開閉するようにした。
【００４５】
第一連結管はある程度の長さを有し、その先端には重量物である吸口体本体３００が接続されているので、延長管１３０を介して吸口体を持ち上げることにより、後端側第一連結管７００を所定位置まで確実に回動させることができる。これにより、第二連結管８００の先端部８６０が所定位置まで後退するので、開口７８０を確実に開放することができる。
【００４６】
なお、本実施の形態においては、第一連結管に通気孔７５０および吸音材７６０を設けたが、これらを吸口体本体３００または基部４００に設けるようにしてもよい。この場合には、吸口体本体３００および基部４００と、第一連結体との回動により、吸音材に繋がる開口を開閉するようにすればよい。
【００４７】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００４８】
【図１】この発明に基づいた実施の形態における電気掃除機の構造を示す斜視図である。
【図２】この発明に基づいた実施の形態における吸口体の分解斜視図である。
【図３】この発明に基づいた実施の形態における連結管の構造を示す分解斜視図である。
【図４】この発明に基づいた実施の形態における吸口体の構造を示す斜視図である。
【図５】この発明に基づいた実施の形態における吸口体の構造を示す平面図である。
【図６】この発明に基づいた実施の形態における吸口体の構造を示す縦断面図である。
【図７】この発明に基づいた実施の形態における吸口体の動作を示す縦断面図である。
【符号の説明】
【００４９】
１１０  電気掃除機本体、１２０  延長ホース、１３０  延長管、２００  吸口体、３００  吸口体本体、３１０  下カバー、３２０  モータ、３３０  円形リブ、３５０  回転ブラシ、３５５  ローラ、３６０  キャップ、３６５  バンパ部材、３８０  押え具、３９０  上カバー、３９１  係合部、４００  基部、４０１  上部材、４１０  下部材、５００  連結管、６００  先端側第一連結管、６１０  リブ、６２０  軸、６３０  円筒状連結部、６４０  軸受部、６５０  上面構成部材、６６０  補助輪、７００  後端側第一連結管、７１０  リング部材、７２０  本体、７３０  ねじ孔、７４０  蓋部材、７５０  通気孔、７６０  吸音材、７７０  仕切壁、７８０  開口、８００  第二連結管、８１０  軸、８２０  第二連結管本体、８５０  第二連結管蓋部材。
【図１】
2008043490.tif 000003
【図２】
2008043490.tif 000004
【図３】
2008043490.tif 000005
【図４】
2008043490.tif 000006
【図５】
2008043490.tif 000007
【図６】
2008043490.tif 000008
【図７】
2008043490.tif 000009